(57)【特許請求の範囲】
【請求項１】
ユーザが視聴中のコンテンツを搬送する放送波を受信する第１の受信手段を備え、複数の放送局から放送されている複数の放送波によってそれぞれ搬送される複数のコンテンツを一覧可能に表示する表示装置であって、
前記第１の受信手段により受信された放送波によって搬送されるコンテンツに対して、近傍にない位置に一覧表示されるコンテンツを搬送する放送波よりも、近傍の位置に一覧表示される他のコンテンツを搬送する他の放送波を優先的に受信する第２の受信手段と、
前記第２の受信手段によって受信された他の放送波から、前記他のコンテンツを表す画像を取得する取得手段とを備えたことを特徴とする表示装置。
【請求項２】
前記第２の受信手段は、ユーザの操作により前記複数の放送局から１つの放送局が選択された場合、当該選択された放送局が放送する放送波によって搬送されるコンテンツに対して、近傍にない位置に一覧表示されるコンテンツを搬送する放送波よりも、近傍の位置に一覧表示される他のコンテンツを搬送する他の放送波を優先的に受信することを特徴とする請求項１に記載の表示装置。
【請求項３】
前記第１の受信手段によって受信された放送波を放送する放送局またはユーザの操作により前記複数の放送局から選択された１つの放送局を最初に選択可能となるような所定の形式にしたがって、前記取得手段によって取得された画像を表示する表示手段をさらに備えたことを特徴とする請求項１または２に記載の表示装置。
【請求項４】
前記取得手段は、前記第１の受信手段によって受信された放送波および前記第２の受信手段によって受信された他の放送波の少なくとも一方から、コンテンツを識別可能なコンテンツ識別情報をさらに取得し、
前記表示手段は、前記取得手段によって取得されたコンテンツ識別情報をさらに表示することを特徴とする請求項３に記載の表示装置。
【請求項５】
前記取得手段によって取得された画像が、前記第２の受信手段によって受信された他の放送波で搬送される他のコンテンツの内容と一致するか否かを判定する判定手段をさらに備え、
前記表示手段は、前記判定手段によって一致しないと判定された場合、当該判定された前記画像を表示しないことを特徴とする請求項３または４に記載の表示装置。
【請求項６】
前記取得手段は、前記他のコンテンツの視聴の可否を示す制限情報をさらに取得し、当該他のコンテンツの視聴は不可能であることを当該制限情報が示す場合、当該他のコンテンツの画像を取得しないことを特徴とする請求項３から５のいずれか１項に記載の表示装置。
【請求項７】
前記取得手段は、前記他のコンテンツの視聴の可否を示す制限情報をさらに取得し、当該他のコンテンツの視聴は不可能であることを当該制限情報が示す場合、当該他のコンテンツの画像に代えて、視聴が不可能であった理由を示す情報を取得し、
前記表示手段は、前記取得手段によって取得された前記理由を示す情報とコンテンツ識別情報とを、所定の形式にしたがって表示することを特徴とする請求項３から６のいずれか１項に記載の表示装置。
【請求項８】
前記取得手段は、前記制限情報の設定が、前記他のコンテンツの視聴を可能にするように変更されたことが検知された場合、前記第２の受信手段によって受信された他の放送波から、当該他のコンテンツを表す画像を取得することを特徴とする請求項６または７に記載の表示装置。
【請求項９】
前記取得手段は、前記制限情報の設定が変更されたことが検知された場合、これまでに取得していた前記他のコンテンツを表す画像を削除し、前記第２の受信手段によって受信された他の放送波から、当該他のコンテンツを表す画像を再度取得することを特徴とする請求項６から８のいずれか１項に記載の表示装置。
【請求項１０】
請求項１から９のいずれか１項に記載の表示装置を備えたことを特徴とするテレビジョン受像機。
【請求項１１】
ユーザが視聴中のコンテンツを搬送する放送波を受信する第１の受信ステップを含み、複数の放送局から放送されている複数の放送波によってそれぞれ搬送される複数のコンテンツを一覧可能に表示する表示装置の制御方法であって、
前記第１の受信ステップにおいて受信した放送波によって搬送されるコンテンツに対して、近傍にない位置に一覧表示されるコンテンツを搬送する放送波よりも、近傍の位置に一覧表示される他のコンテンツを搬送する他の放送波を優先的に受信する第２の受信ステップと、
前記第２の受信ステップにおいて受信した他の放送波から、前記他のコンテンツを表す画像を取得する取得ステップとを含むことを特徴とする表示装置の制御方法。
【請求項１２】
請求項１から９のいずれか１項に記載の表示装置を動作させるための制御プログラムであって、コンピュータを前記各手段として機能させるための制御プログラム。
【請求項１３】
請求項１２に記載の制御プログラムを記録したコンピュータ読み取り可能な記録媒体。
【発明の詳細な説明】
【技術分野】
【０００１】
本発明は、外部の放送局から放送された放送波で搬送されるコンテンツを表示可能な表示装置等に関するものである。
【背景技術】
【０００２】
電子番組ガイド（ＥＰＧ；Electronic Program Guide）は、外部から受信したコンテンツを表示部に出力する装置（テレビジョン受像器など）に、当該コンテンツに関する情報を表示するシステムである。この情報は各放送局のデジタル放送波に重畳して搬送されるため、当該装置は当該情報をリアルタイムにユーザに届けられる。
【０００３】
近年では、ＥＰＧを利用して生成されるコンテンツ表（特にコンテンツがテレビジョン番組の場合、いわゆる「裏番組表」をいう）からユーザに所望のコンテンツを選択させることで、当該コンテンツの表示や記録指示を可能にするテレビやレコーダーなどが一般に普及している。したがって、上記コンテンツ表を閲覧しやすく表示することは、ユーザビリティを改善する観点から重要である。
【０００４】
上記重要性を踏まえて、上記コンテンツ表の表示を工夫する試みが広く行われている。例えば、下記の特許文献１には、ユーザが気に入った複数のチャンネルの番組を容易に確認し、選択できる表示処理装置が開示されている。また、下記の特許文献２には、放送中の裏番組について顔抽出されたサムネイル画像付きの裏番組表を表示させるテレビ受信装置が開示されている。
【先行技術文献】
【特許文献】
【０００５】
【特許文献１】特開２００８−２８８７３１号公報（２００８年１１月２７日公開）
【特許文献２】特開２０１０−０９８４５２号公報（２０１０年０４月３０日公開）
【発明の概要】
【発明が解決しようとする課題】
【０００６】
例えば、テレビジョン受像機が上記ＥＰＧを利用して裏番組表を表示させる場合、それぞれの裏番組の内容を表すサムネイル（画像）を当該裏番組の情報とあわせて表示できれば、ユーザビリティは大きく改善されると考えられる。
【０００７】
しかし、サムネイルを取得することには、次の２つの問題が存在する。第１の問題は、テレビジョン番組のサムネイルを放送波から取得するには時間を要することである。すなわち、１つの放送局あたり約１０秒程度を要することが通常であるため、テレビジョン受像機が受信可能なすべての放送局（２０〜４０局あると仮定する）から画像を取得するためには、数分〜数１０分の時間を費やす必要がある。
【０００８】
これにより、従来のテレビジョン受像機によれば、ユーザによって裏番組表の表示を指示されてからサムネイルを含む裏番組表を表示するまでには長い時間がかかる。一方で、ユーザを長時間待機させることはユーザビリティの観点から好ましくないため、例えば最初にサムネイルを含まない裏番組表を表示し、次に取得できたサムネイルから順次表示するという対策が考えられる。しかし、当該対策は、本質的な解決策ではなく、裏番組表で裏番組のサムネイルをすぐに確認したいというユーザのニーズを満たし得ない。
【０００９】
第２の問題は、時間をかけて取得したサムネイルが表す裏番組の内容と、現在放送されている裏番組の内容とが同期しない場合があることである。すなわち、サムネイルの取得に時間をかけている間に当該番組の放送が終了し、異なる番組の放送が開始された場合、取得したサムネイルが表す番組の内容と新たに放送が開始された番組の内容とが一致しない。これでは、裏番組表を表示するだけで、ユーザは現在放送されている裏番組の内容を一覧できるという本来目的とした機能を損ないかねない。
【００１０】
なお、上記の特許文献１または２に記載の従来技術では、上記いずれの問題も解決できない。いずれも画像を迅速に取得することに関するものではないからである。
【００１１】
本発明は、上記の問題点に鑑みてなされたものであり、その目的は、ユーザビリティへの影響が大きいと推測される画像を優先して取得でき、ユーザの利便性を改善できる表示装置等を提供することである。
【課題を解決するための手段】
【００１２】
上記の課題を解決するために、本発明の一態様に係る表示装置は、
（１）外部の放送局から放送された放送波を受信する第１の受信手段を備え、前記第１の受信手段によって受信される放送波によって搬送されたコンテンツを一覧可能に表示する表示装置であって、
（２）前記放送波によって搬送されたコンテンツに対して、近傍にない位置に一覧表示されるコンテンツを搬送する放送波よりも、近傍の位置に一覧表示される他のコンテンツを搬送する他の放送波を優先的に受信する第２の受信手段と、
（３）前記第２の受信手段によって受信された他の放送波から、前記他のコンテンツを表す画像を取得する取得手段とを備えた。
【００１３】
また、上記の課題を解決するために、本発明の一態様に係る表示装置の制御方法は、
（１）外部の放送局から放送された放送波を受信する第１の受信ステップを含み、前記第１の受信ステップにおいて受信される放送波によって搬送されたコンテンツを一覧可能に表示する表示装置の制御方法であって、
（２）前記放送波によって搬送されたコンテンツに対して、近傍にない位置に一覧表示されるコンテンツを搬送する放送波よりも、近傍の位置に一覧表示される他のコンテンツを搬送する他の放送波を優先的に受信する第２の受信ステップと、
（３）前記第２の受信ステップにおいて受信された他の放送波から、前記他のコンテンツを表す画像を取得する取得ステップとを含んだ。
【発明の効果】
【００１４】
本発明の一態様によれば、表示装置および当該装置の制御方法は、ユーザビリティへの影響が大きいと推測される画像を優先して取得できる。これにより、上記表示装置等は、ユーザの利便性を改善することができるという効果を奏する。
【図面の簡単な説明】
【００１５】
【図１】本発明の一実施の形態に係るテレビがディスプレイに表示するメニュー画面の構成例を示す画面構成図である。
【図２】上記テレビの画面遷移を示す画面遷移図である。
【図３】上記テレビジョン受像機がディスプレイに表示する裏番組表の画面の構成例を示す画面構成図である。
【図４】上記テレビジョン受像機の要部構成を示すブロック図である。
【図５】上記裏番組表の画面構成の各部を詳細に示す構成図である。
【図６】「視聴中」の状態にある上記テレビジョン受像機が実行する処理の一例を示すフローチャートである。
【図７】「選局後」の状態にある上記テレビジョン受像機が実行する処理の一例を示すフローチャートである。
【図８】「裏番組表」の状態にある上記テレビジョン受像機が実行する処理の一例を示すフローチャートである。
【図９】「視聴中」の状態にある上記テレビジョン受像機が年齢制限・非契約を考慮してサムネイルを取得した場合に、当該テレビジョン受像機が実行する処理の一例を示すフローチャートである。
【図１０】テレビジョン番組の切り替わりを考慮して裏番組表を表示する場合に、上記テレビジョン受像機が実行する処理の一例を示すフローチャートである。
【図１１】パレンタル設定を考慮して裏番組表を表示する場合に、上記テレビジョン受像機が実行する処理の一例を示す模式図である。
【図１２】上記テレビジョン受像機のハードウェア構成を示すブロック図である。
【発明を実施するための形態】
【００１６】
図１〜図１２に基づいて、本発明の実施の形態を詳細に説明する。
【００１７】
以下では、ある部材が複数存在することを明示するために、同一の部材番号にａまたはｂをさらに付して当該部材を示すことがある。例えば、「放送波２ａ」、「放送波２ｂ」などと示す。また、当該部材の部材番号にさらに付されたａおよびｂを省略し、当該部材を総称することがある。例えば、放送波２ａおよび放送波２ｂを、「放送波２」と総称することがある。
【００１８】
さらに、ある部材が互いに関連していることを明示するために、異なる部材名を有する部材に同一の部材番号を付し、ａまたはｂをさらに付して当該部材を示すことがある。例えば「サムネイル５ａ」、「番組情報５ｂ」などと示す。
【００１９】
〔メニュー画面〕
図１に基づいて、テレビジョン受像機（以下、単に「テレビ」と略記する）１がディスプレイ（表示面７２、図４参照）に表示するメニュー画面１００を説明する。図１は、テレビ１がディスプレイに表示するメニュー画面１００の構成例を示す画面構成図である。
【００２０】
リモートコントローラ（以下、単に「リモコン」と略記する）に設けられた特定のボタン（以下、「ホームボタン」と称する）をユーザが押下した場合、テレビ１はメニュー画面１００を表示する。図１に示されるように、メニュー画面１００は、インフォゾーン１１０と、機能・レコメンドゾーン１２０と、ネットサービスゾーン１３０とを含む。
【００２１】
以下、インフォゾーン１１０、機能・レコメンドゾーン１２０、ネットサービスゾーン１３０の順序でそれぞれを説明する。
【００２２】
（インフォゾーン）
インフォゾーン１１０は、テレビ１が各種情報を表示する領域であり、情報表示領域と言い換えることもできる。インフォゾーン１１０は、ユーザネーム表示領域１１１、お知らせ一覧ボタン１１２ａ、ログインボタン１１２ｂ、設定ボタン１１２ｃ、時間表示領域１１３、天気表示領域１１４、ライブ映像表示領域１１５、バナー１１６ａ〜１１６ｃ、バナー詳細表示領域１１６ｄ、およびインフォメーション表示領域１１７を含む。
【００２３】
ユーザネーム表示領域１１１は、テレビ１がユーザネームを表示する領域である。テレビ１は、そのメーカー等が提供する特定のサーバ（以下、「メーカーサーバ」と称する）にログインする機能を有している。テレビ１はメーカーサーバへのログインを完了すると、ログインの際に使用したユーザネームをユーザネーム表示領域１１１に表示する。なお、ログインを完了するまでの間、テレビ１はログアウト状態であることを示す文字列（図１では「ようこそゲストさん」）をユーザネーム表示領域１１１に表示する。
【００２４】
お知らせ一覧ボタン１１２ａは、お知らせ一覧画面を呼び出すためのボタンである。お知らせ一覧ボタン１１２ａがフォーカスされている状態でリモコンの決定ボタンが押下されると、テレビ１は、ディスプレイに表示する画面を、メニュー画面１００からお知らせ一覧画面へ遷移させる。なお、お知らせ一覧ボタン１１２ａは、テレビ１がネットワークに接続されている場合にのみフォーカス可能となる。
【００２５】
ログインボタン１１２ｂは、ログイン画面を呼び出すためのボタンである。ログインボタン１１２ｂがフォーカスされている状態でユーザがリモコンの決定ボタンを押下すると、テレビ１はディスプレイに表示する画面を、メニュー画面１００からログイン画面へ遷移させる。なお、ログインボタン１１２ｂは、テレビ１がネットワークに接続されている場合にのみフォーカス可能である。
【００２６】
設定ボタン１１２ｃは、設定画面を呼び出すためのボタンである。設定ボタン１１２ｃがフォーカスされている状態でユーザがリモコンの決定ボタンを押下すると、テレビ１はディスプレイに表示する画面を、メニュー画面１００から設定画面へ遷移させる。なお、設定ボタン１１２ｃは、テレビ１がネットワークに接続されているか否かによらずフォーカス可能である。
【００２７】
時間表示領域１１３は、テレビ１が現在時刻を表示する領域である。時間表示領域１１３における現在時刻の表示形式は任意であるが、本実施の形態においては、図１に示されるように、「午前＊＊：＊＊／＊＊＊＊年＊＊月＊＊日＊曜日」（／は改行を表す）という表示形式を採用している。なお、テレビ１は、時間表示領域１１３に表示する現在時刻を、例えば当該テレビに内蔵された時計から取得してもよいし、放送波のSI情報から時刻を取得してもよいし、当該テレビに接続されたＮＴＰサーバから取得してもよい。
【００２８】
天気表示領域１１４は、テレビ１が設置されている地域の天候情報を、当該テレビが表示する領域である。天気表示領域１１４における天候情報の表示形式は任意であるが、本実施の形態においては、天気アイコン（図１の例では晴れのち曇りのアイコン）、地域名（図１の例では「矢板市」）、およびコメント（図１の例では「関東北部は花粉飛散量大の見込み」）を含む表示形式を採用している。なお、テレビ１は天気表示領域１１４に表示する天候情報をメーカーサーバ等から取得してもよいし、データ放送から抽出してもよい。
【００２９】
ライブ映像表示領域１１５は、メニュー画面１００に遷移する直前に全画面表示していた映像（動画像又は静止画像）を、テレビ１が縮小表示する領域である。例えば、メニュー画面１００に遷移する直前にある放送番組が全画面表示されていた場合、ライブ映像表示領域１１５には、その放送番組が引き続き縮小表示されることになる。また、メニュー画面１００に遷移する直前にあるウェブページが全画面表示されていた場合、ライブ映像表示領域１１５には、そのウェブページが引き続き表示されることになる。
【００３０】
なお、ライブ映像表示領域１１５は、テレビ１がネットワークに接続されているか否かによらずフォーカス可能である。ライブ映像表示領域１１５がフォーカスされている状態でユーザがリモコンの決定ボタンを押下すると、テレビ１はメニュー画面１００の表示を終了するとともに、ライブ映像の全画面表示を再開する。
【００３１】
バナー１１６ａ〜１１６ｃは、メーカーサーバから提供されたバナーであり、例えばメーカーサーバから提供されたバナー広告である。バナー１１６ａ〜１１６ｃは、テレビ１がネットワークに接続されるか否かによらずフォーカス可能であり、バナー詳細表示領域１１６ｄには、フォーカスされているバナーに対応する詳細情報が表示される。バナー１１６ａ〜１１６ｃ、およびバナー１１６ａ〜１１６ｃのそれぞれに対応する詳細情報は、テレビ１がネットワークに接続されているときにメーカーサーバからダウンロードされ、テレビ１に蓄積される。
【００３２】
インフォメーション表示領域１１７は、テレビ１がメーカーサーバから提供された任意の文字列を表示する領域である。インフォメーション表示領域１１７に表示される文字列は、インフォメーション表示領域１１７の右端から左端へと流れる。そして、最後の文字がインフォメーション表示領域１１７の左端からフレームアウトすると、最初の文字がインフォメーション表示領域１１７の右端からフレームインする。
【００３３】
なお、以下の説明において、インフォゾーン１１０を構成するＵＩ（User Interface）要素のうち、フォーカス可能なＵＩ要素のことを「メニュー項目」と総称する。具体的には、お知らせ一覧ボタン１１２ａ、ログインボタン１１２ｂ、設定ボタン１１２ｃ、ライブ映像表示領域１１５、およびバナー１１６ａ〜１１６ｃがメニュー項目に該当する。
【００３４】
（機能・レコメンドゾーン）
機能・レコメンドゾーン１２０は、各種機能に対応するパネル（以下、「機能パネル」と称する）１２１と各種推薦コンテンツに対応するパネル（以下、「推薦コンテンツパネル」と称する）１２２とを、テレビ１が表示する領域であり、パネル表示領域と言い換えることもできる。機能パネル１２１および推薦コンテンツパネル１２２は、機能・レコメンドゾーン１２０内に横一列に並べられる。
【００３５】
機能パネル１２１は、テレビ１が有する複数の機能の各々に対応するパネルである。ある機能パネル１２１がフォーカスされている状態でユーザがリモコンの決定ボタンを押下すると、テレビ１はディスプレイに表示する画面を、メニュー画面１００からその機能パネル１２１に対応する機能を利用するための画面へ遷移させる。
【００３６】
本実施の形態においては、機能パネル１２１として、裏番組パネル、スマートサーチパネル、録画リストパネル、入力切替パネル、番組表パネル、およびカレンダーパネルが用意される。例えば、裏番組パネルがフォーカスされている状態でユーザがリモコンの決定ボタンを押下すると、テレビ１はディスプレイに表示する画面を、メニュー画面１００から裏番組表８の表示画面（「裏番組選択画面」ともいう、図３参照）へ遷移させる。また、スマートサーチパネルがフォーカスされている状態でユーザがリモコンの決定ボタンを押下すると、テレビ１はディスプレイに表示する画面を、メニュー画面１００からスマートサーチ画面へ遷移させる。
【００３７】
推薦コンテンツパネル１２２は、テレビ１が選択した複数の推薦コンテンツ（裏番組、未放送番組、録画番組、またはウェブページ）のそれぞれに対応するパネルである。ある推薦コンテンツパネル１２２がフォーカスされている状態でユーザがリモコンの決定ボタンを押下すると、テレビ１は対応する推薦コンテンツの全画面表示を開始するか（推薦コンテンツが裏番組、録画番組、またはウェブページの場合）、または対応する推薦コンテンツの録画予約を行うための録画予約画面の全画面表示を開始する（推薦コンテンツが未放送番組の場合）。
【００３８】
なお、以下の説明において、機能・レコメンドゾーン１２０を構成するＵＩ要素のうち、フォーカス可能なＵＩ要素のことを「メニュー項目」と総称する。具体的には、機能パネル１２１および推薦コンテンツパネル１２２がメニュー項目に該当する。
【００３９】
（ネットサービスゾーン）
ネットサービスゾーン１３０は、テレビ１が各種ネットサービスに対応するアイコン１３１を表示する領域である。あるアイコンがフォーカスされている状態でユーザがリモコンの決定ボタンを押下すると、テレビ１はディスプレイに表示する画面を、メニュー画面１００から、そのアイコン１３１に対応するネットサービスを利用するための画面へ遷移させる。
【００４０】
本実施の形態においては、アイコン１３１として、ＩＰＴＶアイコン、写真・マガジンアイコン、ショッピングアイコン、検索・ＴＶポータルアイコン、ネット動画アイコン、コミュニケーションアイコン、暮らしサポートアイコン、サービス一覧アイコン、およびブックマークアイコンが用意される。
【００４１】
なお、各種ネットサービスに対応するアイコン１３１は、テレビ１がネットワークに接続されているときに限って表示される。テレビ１がネットワークに接続されていない場合には、ネットワークに接続されていない旨を示すメッセージ、ネットワーク接続を奨励する動画コンテンツを呼び出すためのボタン、ネットワーク設定画面を呼び出すためのボタンなどをネットサービスゾーン１３０に表示するとよい。
【００４２】
なお、以下の説明において、ネットサービスゾーン１３０を構成するＵＩ要素のうち、フォーカス可能なＵＩ要素のことを「メニュー項目」と総称する。具体的には、アイコン１３１がメニュー項目に該当する。
【００４３】
〔画面遷移〕
図２に基づいて、テレビ１の画面遷移を説明する。図２は、テレビ１の画面遷移を示す画面遷移図である。
【００４４】
放送番組等のライブ映像が全画面表示されているときに、ユーザがリモコンのホームボタンを押下すると、図２に示されるように、テレビ１はディスプレイに表示する画面を、ライブ映像（全画面表示）からメニュー画面１００へ遷移させる。
【００４５】
メニュー画面１００の状態は、インフォゾーンフォーカス状態、機能・レコメンドゾーンフォーカス状態、およびネットサービスゾーンフォーカス状態に大別される。ここで、インフォゾーンフォーカス状態は、インフォゾーン１１０に含まれるメニュー項目のいずれか１つがフォーカスされている状態である。また、機能・レコメンドゾーンフォーカス状態は、機能・レコメンドゾーン１２０に含まれるメニュー項目のいずれか１つがフォーカスされている状態であり、ネットサービスゾーンフォーカス状態は、ネットサービスゾーン１３０に含まれるメニュー項目のいずれか１つがフォーカスされている状態である。いずれの状態においても、フォーカスされているメニュー項目は、そのメニュー項目を取り囲むフォーカス枠によって他のメニュー項目と識別可能になっている。
【００４６】
インフォゾーンフォーカス状態でユーザがリモコンの右ボタンを押下すると、テレビ１はフォーカスするメニュー項目を、現在フォーカスされているメニュー項目のすぐ右側に配置されたメニュー項目に変更する。同様に、インフォゾーンフォーカス状態でユーザがリモコンの左ボタンを押下すると、テレビ１はフォーカスするメニュー項目を、現在フォーカスされているメニュー項目のすぐ左側に配置されたメニュー項目に変更する。なお、インフォゾーンフォーカス状態におけるフォーカス移動は、メニュー項目の位置を移動するのではなく、フォーカス枠の位置を移動することによって実現される。
【００４７】
インフォゾーンフォーカス状態でユーザがリモコンの下ボタンを押下すると、図２に示されるように、テレビ１はメニュー画面１００の状態を、インフォゾーンフォーカス状態から機能・レコメンドゾーンフォーカス状態へ遷移させる。逆に、機能・レコメンドゾーンフォーカス状態でユーザがリモコンの上ボタンを押下すると、テレビ１はメニュー画面１００の状態を、機能・レコメンドゾーンフォーカス状態からインフォゾーンフォーカス状態へ遷移させる。
【００４８】
機能・レコメンドゾーンフォーカス状態でユーザがリモコンの右ボタンを押下すると、テレビ１はフォーカスするメニュー項目を、現在フォーカスされているメニュー項目のすぐ右側に配置されたメニュー項目に変更する。同様に、機能・レコメンドゾーンフォーカス状態でユーザがリモコンの左ボタンを押下すると、テレビ１はフォーカスするメニュー項目を、現在フォーカスされているメニュー項目のすぐ左側に配置されたメニュー項目に変更する。なお、機能・レコメンドゾーンフォーカス状態におけるフォーカス移動は、フォーカス枠の位置を移動するのではなく、メニュー項目の位置を移動することによって実現される。
【００４９】
機能・レコメンドゾーンフォーカス状態でユーザがリモコンの下ボタンを押下すると、図２に示されるように、テレビ１はメニュー画面１００の状態を、機能・レコメンドゾーンフォーカス状態からネットサービスゾーンフォーカス状態へ遷移させる。逆に、ネットサービスゾーンフォーカス状態でユーザがリモコンの上ボタンを押下すると、テレビ１はメニュー画面１００の状態を、ネットサービスゾーンフォーカス状態から機能・レコメンドゾーンフォーカス状態へ遷移させる。
【００５０】
ネットサービスゾーンフォーカス状態でユーザがリモコンの右ボタンを押下すると、テレビ１はフォーカスするメニュー項目を、現在フォーカスされているメニュー項目のすぐ右側に配置されたメニュー項目に変更する。同様に、ネットサービスゾーンフォーカス状態でユーザがリモコンの左ボタンを押下すると、テレビ１はフォーカスするメニュー項目を、現在フォーカスされているメニュー項目のすぐ左側に配置されたメニュー項目に変更する。ネットサービスゾーンフォーカス状態におけるフォーカス移動は、メニュー項目の位置を移動するのではなく、フォーカス枠の位置を移動することによって実現される。
【００５１】
なお、メニュー画面１００が表示されているときに、ユーザがリモコンの戻るボタン、ホームボタン、または終了ボタンを押下すると、テレビ１はメニュー画面１００の表示を終了するとともに、ライブ映像の全画面表示を再開する。
【００５２】
いずれかの機能パネル１２１がフォーカスされている状態でユーザがリモコンの決定ボタンを押下すると、テレビ１はディスプレイに表示する画面を、メニュー画面１００から、その機能パネル１２１に対応する機能を利用するための画面へ遷移させる。
【００５３】
例えば、裏番組パネルがフォーカスされている状態でユーザがリモコンの決定ボタンを押下すると、テレビ１はディスプレイに表示する画面を、メニュー画面１００から裏番組表８の表示画面へ遷移させる。また、スマートサーチパネルがフォーカスされている状態でユーザがリモコンの決定ボタンを押下すると、テレビ１はディスプレイに表示する画面を、メニュー画面１００からスマートサーチ画面へ遷移させる。
【００５４】
裏番組選択画面やスマートサーチ画面などが表示されるときに、ユーザがリモコンの戻るボタンを押下すると、テレビ１はディスプレイに表示する画面を、これらの画面からメニュー画面１００へ遷移させる。また、裏番組選択画面やスマートサーチ画面などが表示されるときに、ユーザがリモコンの戻るボタンを押下すると、テレビ１はこれらの画面の表示を終了するとともに、ライブ映像の全画面表示を再開する。
【００５５】
なお、フォーカスされているメニュー項目の周囲に表示されるフォーカス枠は明滅させることが好ましい。フォーカス枠の明滅周期は、例えば、０．５Ｈｚに設定すればよい。これにより、メニュー項目がカラフルな場合であっても、どのメニュー項目がフォーカスされているかをユーザが把握しやすくなる。
【００５６】
ただし、フォーカス移動が生じたときにフォーカス枠が暗状態にあると、フォーカス移動が生じたことがユーザに伝わり難くなる。そこで、本実施の形態においては、フォーカス移動が生じるたびにフォーカス枠の状態を明状態にリセットする構成を採用し、このような問題を回避している。また、フォーカス枠の色は任意であるが、本実施の形態においては黄色を用い、背景色が黒の場合にその視認性を高めるように工夫している。
【００５７】
〔裏番組表の表示画面の概要〕
図３に基づいて、テレビ１が表示する裏番組表８の表示画面を概説する。図３は、テレビ１がディスプレイに表示する裏番組表８の画面の構成例を示す画面構成図である。図３に示す形態で、テレビ１は裏番組表８を表示する。
【００５８】
テレビ１は、画面の左側にユーザが現在視聴中のテレビジョン番組３ａを表示する。また、テレビ１は、画面の右側にテレビジョン番組３ａと同じ時間に放送されている他のテレビジョン番組（他のコンテンツ）３ｂ（いわゆる「裏番組」、図４参照）の番組情報５ｂとサムネイル５ａとを、裏番組表８として所定の形式にしたがって表示する。
【００５９】
なお、上記「所定の形式」は、例えばテレビジョン番組３ｂのサムネイル５ａおよび番組情報５ｂを、放送局のチャンネル番号、またはサービス識別（ServiceID）にしたがって昇順（または降順）で一列に配置したリスト形式が考えられる。または、上記「所定の形式」は、例えばサムネイル５ａと番組情報５ｂとを第一の項目（放送時間など）の値と第二の項目（放送局など）の値とに対応付け、第一の項目の値を示す行と第二の項目の値を示す列との交点位置に配置したテーブル形式が考えられる。
【００６０】
これにより、テレビ１は、チャンネル番号、またはサービス識別が近似する放送局（近傍の放送局）を互いに近接させて表示することができる。ただし、上記リスト形式やテーブル形式にしたがう一覧表示はあくまでも例示に過ぎず、上記「所定の形式」は、コンテンツを一覧可能に表示する形式であれば、どのような形式であってもよい。
【００６１】
ここで、サムネイル（画像）５ａは、チューナ部２１ｂによって受信された他の放送波２ｂから取得可能なテレビジョン番組３ｂの内容を表す画像である。
【００６２】
また、番組情報（コンテンツ識別情報）５ｂは、コンテンツを識別可能な情報を含む情報である。番組情報５ｂには、例えば電子番組ガイド（ＥＰＧ；Electronic Program Guide）や、インターネット等を介して取得される各種データなどが含まれる。
【００６３】
図３に示されるように、テレビ１はテレビジョン番組の３ｂのそれぞれのサムネイル５ａを含む裏番組表８を表示できる。ここで、ユーザが視聴中のテレビジョン番組３ａを放送している放送局にカーソルをあてた状態（最初に選択可能とする状態）で、テレビ１は当該裏番組表の表示を開始することに注意する（なお、上記「カーソル」は、放送局が選択されていることを明示する矩形をいう。また、番組情報５ｂに重畳表示されたカーソル周辺を「フォーカス部」という）。
【００６４】
すなわち、前述したように、裏番組パネルがフォーカスされている状態でユーザがリモコンの決定ボタンを押下すると、テレビ１はディスプレイに表示する画面を、メニュー画面１００から裏番組表８の表示画面へ遷移させるところ（図２参照）、裏番組表８の表示画面に遷移した直後は、ユーザが視聴中のテレビジョン番組３ａを放送している放送局にカーソルをあてた状態で（フォーカスした状態で）、テレビ１は裏番組表８を表示する。
【００６５】
テレビ１は、ユーザが視聴中のテレビジョン番組３ａに対して、近傍の位置に一覧表示されるテレビジョン番組３ｂを表すサムネイル５ａを優先的に取得するため、テレビ１が裏番組表８の表示画面へ遷移させた直後であっても、テレビ１はサムネイル５ａを適切に表示できる。
【００６６】
また、ユーザがリモコンを操作してフォーカス部を変更する（カーソルに重畳表示される放送局を変更する）ことにより所望の放送局を指定した場合（ユーザの操作により放送局が選択された場合）、テレビ１は当該選択された放送局が放送する放送波によって搬送されたテレビジョン番組３に対して、近傍の位置に一覧表示されたテレビジョン番組３ｂを表すサムネイル５ａを優先的に取得するため、フォーカス部の変更に追従してサムネイル５ａを表示できる。
【００６７】
前述したように、テレビジョン番組のサムネイルを放送波から取得するには時間を要するため、従来のテレビジョン受像機は、ユーザによって裏番組表の表示を指示されてからサムネイルを含む裏番組表を表示するまでに、長時間を必要とした。
【００６８】
ユーザを長時間待機させることはユーザビリティの観点から好ましくないため、従来のテレビジョン受像機は、最初にサムネイルを含まない裏番組表を表示し、次に取得できたサムネイルから順次表示する等の対策を行っていた。しかし、当該従来の対策では、裏番組表で他のテレビジョン番組（裏番組）のサムネイルをすぐに確認したいというユーザのニーズを満たすことができない。
【００６９】
そこで、本実施の形態に係るテレビ１は、ユーザが視聴中のテレビジョン番組３ａを放送する放送局の、近傍の放送局から放送されるテレビジョン番組３ｂのサムネイル５ａを優先的に取得する。これにより、裏番組表８を表示するために必要性が高いと推測されるサムネイル５ａ（ユーザビリティへの影響が大きいと推測される画像）から順番に、テレビ１は当該サムネイルを取得できる。
【００７０】
また、本実施の形態に係るテレビ１は、裏番組表８の表示画面に遷移した直後は、ユーザが視聴中のテレビジョン番組３ａを放送している放送局にカーソルをあてた状態で裏番組表８を表示する。これにより、テレビ１は、ユーザによって裏番組表８の表示を指示されると、サムネイル５ａを含む裏番組表８を短時間で表示できる。
【００７１】
〔テレビの構成〕
図４に基づいて、テレビ１の構成を説明する。図４は、テレビ１の要部構成を示すブロック図である。なお、記載の簡潔性を担保する観点から、本実施の形態に直接関係のない部分は構成の説明およびブロック図から省略した。ただし、実施の実情に則して、テレビ１は当該省略した構成を含んでもよい。
【００７２】
テレビ（表示装置、テレビジョン受像機）１は、外部の放送局から放送された放送波２ａを受信するチューナ２ａを備え、チューナ２ａによって受信される放送波２ａによって搬送されたテレビジョン番組３を一覧可能に表示する装置である。
【００７３】
テレビ１は、放送局（メインチャンネルおよびサブチャンネルの双方を含む）から放送されるテレビジョン番組（コンテンツ、他のコンテンツ）３を、上記「コンテンツ」として受信する。しかし「コンテンツ」は、例えばケーブルテレビ、ＣＳ放送、ラジオ放送、ＤＶＤ（Digital Versatile Disk）、インターネットなどから提供されるすべての映像、画像、音楽、音声、文章、文字、数式、数字、記号などを含んでよい。
【００７４】
図４に示されるように、テレビ１は、受信部２０（チューナ部２１ａ、チューナ部２１ｂ）、デマックス部４０、制御部１０（情報取得部１１、情報表示部１２、一致判定部１３）、表示部７０（表示制御部７１、表示面７２）、音声出力部６０（音声制御部６１、スピーカ部６２）、記憶部３０、および入力部５０を含む。以下、上記記載の順序で各構成の機能を説明する。
【００７５】
受信部２０は、外部の放送局から受信した放送波２を、コンテンツを表す信号（テレビジョン番組３）に変換する。受信部２０は、例えばチューナ部２１が受信した信号をアナログベースバンド信号に変換するＲＦ部、当該アナログベースバンド信号をデジタルベースバンド信号に変換するＡＤＣ部、デジタルベースバンド信号からＭＰＥＧ２ストリームを復調する復調部、およびＭＰＥＧ２ストリームから映像信号を復号する復号部を含んでよい（図示せず）。受信部２０は、チューナ部２１ａおよびチューナ部２１ｂを含む。
【００７６】
また、受信部２０は、放送波を受信可能なすべての放送局のうち、次に放送波を受信すべき放送局を取得し、当該放送局の周波数にチューナ部２１ｂを同調させる。
【００７７】
同様に、受信部２０は、放送波を受信可能なすべての放送局のうち、チューナ部２１ａが受信している放送波２ａによって搬送されたテレビジョン番組３ａの、近傍の位置に一覧表示されたテレビジョン番組３ｂを搬送する放送波２ｂの放送局をリストアップする。そして、受信部２０は、当該リストにあげられた放送局の周波数にチューナ部２１ｂを同調させる。
【００７８】
さらに同様に、受信部２０は、放送波を受信可能なすべての放送局のうち、裏番組表８において選択されている放送局（図３においてフォーカス部にある放送局）が放送するテレビジョン番組３ａに対して、近傍の位置に一覧表示されたテレビジョン番組３ｂを搬送する放送波２ｂの放送局をリストアップする。そして、受信部２０は当該リストにあげられた放送局の周波数にチューナ部２１ｂを同調させる。
【００７９】
チューナ部（第１の受信手段）２１ａおよびチューナ部（第２の受信手段）２１ｂは、放送局から放送される放送波２ａおよび放送波２ｂをそれぞれ受信するチューナである。チューナ部２１ａおよびチューナ部２１ｂは、受信部２０によって変換されたテレビジョン番組３ａおよびテレビジョン番組３ｂを、それぞれデマックス部４０に出力する。
【００８０】
ここで、チューナ部２１ｂは、チューナ部２１ａによって受信された放送波２ａによって搬送されたテレビジョン番組３ａに対して、近傍にない位置に一覧表示されたテレビジョン番組を搬送する放送波よりも、近傍の位置に一覧表示されたテレビジョン番組３ｂを搬送する放送波２ｂを優先的に受信することに注意する。
【００８１】
テレビ１（情報表示部１２、後述）が所定の基準にしたがって放送局をソートしたリスト形式に基づいて裏番組表８を表示する場合、チューナ部２１ｂはテレビジョン番組３ａを放送する放送局を含む「前後４局」（近傍の４局）として表示される放送局の放送波を受信してもよい。
【００８２】
さらに、上記所定の基準が放送局の放送周波数であり、テレビ１は当該放送周波数で放送局をソートしたリスト形式に基づいて裏番組表８を表示する場合、チューナ部２１ｂは、チューナ部２１ａによって受信された放送波２ａが放送される周波数を含む、所定の範囲に含まれる周波数で放送された他の放送波２ｂを優先的に受信してもよい。
【００８３】
なお、上記「所定の範囲」は、周波数単位であらかじめ規定される範囲であり、例えば放送波２ａが放送される周波数を中心として上下数１０Ｈｚの範囲であってよい。
【００８４】
また、チューナ部２１ｂは、ユーザの操作により放送局が選択された場合、当該選択された放送局が放送する放送波によって搬送されたテレビジョン番組に対して、近傍にない位置に一覧表示されたテレビジョン番組を搬送する放送波よりも、近傍の位置に一覧表示されたテレビジョン番組３ｂを搬送する放送波２ｂを優先的に受信する。
【００８５】
デマックス部４０は、チューナ部２１ａおよびチューナ部２１ｂからそれぞれ入力されたテレビジョン番組３ａおよびテレビジョン番組３ｂを、映像信号４ａ、音声信号４ｂ、その他の信号（番組情報５ｂ、サムネイル５ａ、制限情報６ａ）に分割し、これらの信号を表示制御部７１、音声制御部６１、および情報取得部１１にそれぞれ出力する。
【００８６】
制御部１０は、テレビ１の各種機能を統括的に制御するものである。制御部１０は、情報取得部１１、情報表示部１２、および一致判定部１３を含む。
【００８７】
制御部１０は、テレビ１が「視聴中」の状態（後述）にある場合、バックグラウンドで番組表を取得するようにユーザによって設定されているか否かを判定する。また、制御部１０は、テレビ１が裏番組表８にサムネイル５ａを表示するようにユーザによって設定されていることにより、テレビジョン番組３ｂのサムネイル５ａを取得する必要があるか否かを判定する。
【００８８】
また、制御部１０は、サムネイル５ａの取得が完了した放送局を、受信部２０によってリストアップされたリストから削除し、当該リスト中にサムネイル５ａを未取得の放送局が残っているか否か、および裏番組表８の表示が継続しているか否か（テレビ１が依然として「裏番組表」の状態にあるか否か）を判定する。
【００８９】
さらに、制御部１０は選択中の放送局が変化したか否かを判定する。また、制御部１０は、視聴が不可能であった理由を示す情報（取得不可理由）があるか否かも判定する。
【００９０】
さらに、制御部１０は、現在時刻の番組情報５ｂ（現在時刻の番組表データに記録されているEventID）を、記憶部３０から読み出す。また、制御部１０は、サムネイル５ａおよび番組情報５ｂ（EventID）のペア、または上記視聴が不可能であった理由を示す情報（取得不可理由）を、記憶部３０から読み出す。
【００９１】
情報取得部（取得手段）１１は、チューナ部２１ｂによって受信された他の放送波２ｂから、当該他の放送波で搬送される他のテレビジョン番組３ｂを表すサムネイル５ａを取得する。また、情報取得部１１は、チューナ部２１ｂによって受信された他の放送波２ｂから、当該他の放送波で搬送される他のテレビジョン番組３ｂを識別可能な番組情報５ｂをさらに取得する。
【００９２】
より具体的には、情報取得部１１はサムネイル５ａおよび番組情報５ｂ（例えば、ＥＰＧ情報のEIT[sch]）を取得できるように、デコーダおよびセクションフィルタを設定し、サムネイル５ａおよび番組情報５ｂの取得を完了するまで待機する。なお、情報取得部１１は、取得したサムネイル５ａおよび番組情報５ｂを記憶部３０に格納してもよい。
【００９３】
情報取得部１１は、他のテレビジョン番組３ｂの視聴の可否を示す制限情報６ａをさらに取得し、当該他のテレビジョン番組３ｂの視聴は不可能であることを当該制限情報が示す場合、当該他のテレビジョン番組のサムネイル５ａを取得しない。この場合、情報取得部１１は、サムネイル５ａを取得する代わりに、視聴が不可能であった理由を示す情報を取得してもよい。
【００９４】
より具体的には、情報取得部１１は制限情報６ａ（契約情報ともいう）を取得できるようセクションフィルタを設定し、制限情報６ａの取得を完了するまで待機する。そして、情報取得部１１は、制限情報６ａに基づきテレビジョン番組３ｂの視聴の可否を判定することにより、サムネイル５ａの取得の可否を判定する。視聴が不可能であることにより、サムネイル５ａが取得できないと判定される場合、情報取得部１１は視聴が不可能であった理由を示す情報を取得し、当該情報をサムネイルデータとして記憶部３０に格納する。
【００９５】
なお、制限情報６ａは、コンテンツの視聴契約に関する情報、スクランブルの有無を示す情報、視聴年齢制限の情報、または受信障害発生に関する情報など、当該コンテンツの視聴が制限されていることを示す情報である。制限情報６ａは、例えばＰＭＴ、ＥＩＴ［ｐ］、ＥＣＭのＢ−ＣＡＳカード応答によって取得できる。
【００９６】
また、視聴が不可能であった理由を示す情報は、制限情報６ａによって視聴が制限されている理由を示す情報であり、制限情報６ａが上記例示した情報のいずれであるかにより示される。
【００９７】
情報表示部（表示手段）１２は、チューナ部２１ａによって受信された放送波２ａを放送する放送局またはユーザの操作により選択された放送局を最初に選択可能となるような所定の形式にしたがって、情報取得部１１によって取得されたサムネイル５ａおよび番組情報５ｂを表示する。
【００９８】
具体的には、情報表示部１２は、情報取得部１１から入力されたサムネイル５ａと番組情報５ｂとに基づいて裏番組表８を生成し、当該裏番組表を表示制御部７１に出力する。ただし、情報表示部１２は、一致判定部１３によって一致しないと判定された場合（一致しないという判定結果を示す判定情報６ｂが一致判定部１３から入力された場合）、当該判定されたサムネイル５ａを表示しない。または、サムネイル５ａ、視聴が不可能であった理由を示すアイコン、またはサムネイル５ａが存在しないことを示すアイコンのいずれかを裏番組表８に表示する。
【００９９】
視聴が不可能であった理由を示す情報を情報取得部１１が取得した場合、情報表示部１２は、当該理由を示す情報と番組情報５ｂとを所定の形式にしたがって表示してもよい。
【０１００】
一致判定部（判定手段）１３は、情報取得部１１によって取得されたサムネイル５ａが、チューナ部２１ｂによって受信された他の放送波２ｂで搬送される他のテレビジョン番組３ｂの内容と一致するか否かを判定する。
【０１０１】
より具体的には、一致判定部１３は、現在番組のEventIDとサムネイル５ａのEventIDとが一致するか否かを判定する。一致判定部１３は、上記の判定を行った結果を示す判定情報６ｂを、情報表示部１２に出力する。
【０１０２】
表示部７０は、制御部１０の内部で処理された結果の情報（裏番組表８）およびデマックス部４０から入力された映像信号４ａを、ユーザに対して表示する。表示部７０は、表示制御部７１と表示面７２とを含む。
【０１０３】
表示制御部７１は、デマックス部４０から入力された映像信号４ａと、情報表示部１２から入力された裏番組表８とを合成し、図３に示す最終的な形態で裏番組表８を表示面７２に表示することを可能にする表示用データ７を、表示面７２へ出力する。
【０１０４】
ここで、表示用データ７は、テレビ１が最終的に表示面７２に表示させる情報をすべて含むデータである。表示用データ７は、例えばビットマップ形式の画像であってよいし、他の形式に従う画像、またはその他表示に適したデータ形式であってもよい。
【０１０５】
表示面７２は、表示制御部７１から入力される表示用データ７を表示する装置である。本実施の形態では主に液晶ディスプレイ（Liquid Crystal Display；ＬＣＤ）を想定しているが、表示機能を有する装置（特に、フラットパネルディスプレイ）でありさえすればハードウェアの種類は限定されない。例えば、プラズマディスプレイ（Plasma Display Panel；ＰＤＰ）やＥＬ（Electroluminescence）ディスプレイなどの表示素子と、表示制御部７１から入力された表示用データ７に基づいて、表示素子を駆動するドライバ回路とを備える装置等で、表示面７２を構成できる。
【０１０６】
音声出力部６０は、テレビジョン番組３ａに含まれる音声を外部へ出力する。音声出力部６０は、音声制御部６１とスピーカ部６２とを含む。
【０１０７】
音声制御部６１は、デマックス部４０から入力された音声信号４ｂを、音声に変換してスピーカ部６２へ出力する。音声制御部６１は、例えば、アンプなどの音声出力処理回路で構成できる。
【０１０８】
スピーカ部６２は、音声制御部６１から入力された音声を、外部へ出力するスピーカである。
【０１０９】
記憶部３０は、番組情報５ｂ、サムネイル５ａ、および制限情報６ａを格納可能な記憶機器である。記憶部３０は、例えばハードディスク、半導体メモリ、ＤＶＤ等でも構成できるが、特にＲＡＭ（Random Access Memory）であることが好ましい。なお、本実施の形態では、記憶部３０はテレビ１に内蔵される機器として図１に示しているが、テレビ１の外部に通信可能に接続された記憶装置であってもよい。
【０１１０】
入力部５０は、ユーザの操作を受け付け、入力された情報（ユーザ入力９）を受信部２０に出力する。これにより、ユーザは視聴する放送局を選択できる。入力部５０は、ユーザからの入力を受け付けるインタフェースであれば何でもよく、例えばリモコン、テレビ１に備えたボタン、キーボード、マウスなど、一般的な入力インタフェースからの入力信号を受信する機器が考えられる。
【０１１１】
なお、ユーザが入力に使用するインタフェースは、物理的なボタンを備えたハードウェアインタフェースでなくともよい。例えば、リモコンがタッチパネルを備えた液晶画面を有し、ユーザはこの液晶画面に表示されたソフトウェアキーを押下することで、テレビ１にユーザの操作を与えてもよい。
【０１１２】
〔裏番組表の詳細〕
図５に基づいて、裏番組表８の表示画面の詳細を説明する。図５は、裏番組表８の画面構成の各部を詳細に示す構成図である。以下、図５の（１）〜（１３）の番号で示される各部は、それぞれ以下を表す。
【０１１３】
すなわち、（１）裏番組表８の表示画面を表すロゴ、（２）裏番組表８の表示画面であることを明示する文字列、（３）ユーザが視聴中のテレビジョン番組３ａの概要（放送局の名称等）、（４）ユーザが視聴中のテレビジョン番組３ａ、（５）時刻および年月日の表示、（６）裏番組表８、（７）放送波の種類の表示、（８）サムネイル５ａ、（９）ダイレクト選局表示、（１０）テレビジョン番組３ｂの終了時刻、（１１）放送局の名称、（１２）放送局のロゴ、（１３）テレビジョン番組３ｂのタイトルを表す。
【０１１４】
上記（６）の裏番組表８において、図５に示されるように、テレビ１は７つの放送局リストの各行にそれぞれの放送局を表示する。また、カーソルに重畳表示される放送局を変更するための所定のキーをユーザが長押しした場合、テレビ１は裏番組表８に奥行きを付加するエフェクトをかけながら、当該裏番組表を回転表示させる。
【０１１５】
テレビ１がネットワークに接続している場合、ユーザがリモコンの左右キーを押下すると、テレビ１は上記（７）の放送波の種類の表示において、「ＩＰＴＶ」、「地上デジタル」、「ＢＳ放送」、および「ＣＳ放送」の４種類を循環して表示する。
【０１１６】
テレビ１がネットワークに接続していない場合、ユーザがリモコンの左右キーを押下すると、テレビ１は上記（７）の放送波の種類の表示において、「地上デジタル」、「ＢＳ放送」、および「ＣＳ放送」の３種類を循環して表示する。
【０１１７】
なお、循環して表示する順序は任意に設計可能である。また、放送波を切り替えるためのリモコンの所定のキーをユーザが直接押下した場合でも、上記放送波の種類を切り替えることができる。
【０１１８】
〔テレビが有する動作状態〕
テレビ１は、次の３つの動作状態を有する。すなわち、
（１）「視聴中」の状態：所定の放送局から放送されるテレビジョン番組３ａを、ユーザが定常的に視聴している場合の、テレビ１の動作状態をいう。
（２）「選局後」の状態：ユーザが放送局の指定を切り替えることによって、チューナ部２１ａが受信する放送波２ａが変更された直後の、テレビ１の動作状態をいう。
（３）「裏番組表」の状態：テレビ１が裏番組表８（図３参照）を表示させている場合の、テレビ１の動作状態をいう。
【０１１９】
〔テレビが実行する処理〕
以下、「視聴中」の状態における処理、「選局後」の状態における処理、「裏番組表」の状態における処理、年齢制限・非契約を考慮してサムネイルを取得する場合の処理、およびテレビジョン番組の切り替わりを考慮して裏番組表を表示する場合の処理の順序で、各フローで実行される具体的な処理の内容を説明する。
【０１２０】
（「視聴中」の状態における処理）
図６に基づいて、上記「視聴中」の状態にあるテレビ１が実行する処理の流れを説明する。図６は、「視聴中」の状態にあるテレビ１が実行する処理の一例を示すフローチャートである。
【０１２１】
受信部２０は、放送波を受信可能なすべての放送局のうち、次に放送波を受信すべき放送局（選局先）を取得し（ステップ１：Ｓ１のように略記する）、当該放送局の周波数にチューナ部２１ｂ（裏チューナ）を同調させる（Ｓ２）。次に、制御部１０は、番組表の取得が必要か否かを判定する（Ｓ３）。すなわち、テレビ１が「視聴中」の状態にある場合、バックグラウンドで番組表を取得するように、ユーザによって設定されているか否かを、制御部１０は判定する。
【０１２２】
取得が必要と判定される場合（Ｓ３においてＹＥＳ）、情報取得部１１は番組情報５ｂ（例えば、ＥＰＧ情報のEIT[sch]）を取得できるようセクションフィルタを設定し（Ｓ４）、番組情報５ｂの取得を完了するまで待機する（Ｓ５）。なお、情報取得部１１は、取得した番組情報５ｂを記憶部３０に格納する。
【０１２３】
次に、制御部１０は、サムネイルの取得が必要か否かを判定する（Ｓ６）。すなわち、テレビ１が裏番組表８にサムネイル５ａを表示するようにユーザによって設定されていることにより、テレビジョン番組３ｂのサムネイル５ａを取得する必要があるか否かを、制御部１０は判定する。
【０１２４】
取得が必要と判定される場合（Ｓ６においてＹＥＳ）、情報取得部１１はサムネイル５ａを取得できるようデコーダを設定し（Ｓ７）、サムネイル５ａの取得を完了するまで待機する（Ｓ８）。なお、情報取得部１１は、取得したサムネイル５ａを記憶部３０に格納する。また、このとき情報取得部１１は、テレビジョン番組３を識別可能な信号（例えば、EventIDなど）を番組情報５ｂの一部としてサムネイル５ａと同時に取得し、同様に記憶部３０に格納する。
【０１２５】
「視聴中」の状態にあるテレビ１は、上記Ｓ１〜Ｓ８の処理を、放送波を受信可能なすべての放送局に対して実行する。すなわち、テレビ１は、すべての放送局に対して、番組情報５ｂの取得とサムネイル５ａの取得とを、所定の順番で交互に行う。
【０１２６】
すなわち、テレビ１は放送波２の受信装置を２つ搭載しており（チューナ部２１ａおよびチューナ部２１ｂ）、一方はユーザが視聴中のテレビジョン番組３ａを受信するために使用されているため、他方のみでサムネイル５ａと番組情報５ｂとを受信しなければならない。そこで、テレビ１は、上記Ｓ３〜Ｓ８に記載したように、サムネイル５ａと番組情報５ｂとを交互に取得する。
【０１２７】
（「選局後」の状態における処理）
図７に基づいて、上記「選局後」の状態にあるテレビ１が実行する処理の流れを説明する。図７は、「選局後」の状態にあるテレビ１が実行する処理の一例を示すフローチャートである。なお、以下の説明において、カッコ書きの「〜ステップ」は制御方法の各ステップを表す（他の図面においても同様である）。
【０１２８】
受信部２０は、サムネイル取得リストを生成する（Ｓ９）。具体的には、受信部２０は、放送波を受信可能なすべての放送局のうち、チューナ部２１ａが受信している放送波２ａによって搬送されたテレビジョン番組３ａの、近傍の位置に一覧表示されたテレビジョン番組３ｂを搬送する放送波２ｂの放送局をリストアップする。そして、受信部２０は、当該リストにあげられた放送局の周波数にチューナ部２１ｂを同調させる（Ｓ１０）。
【０１２９】
チューナ部２１ｂは、放送波２ｂを受信する（Ｓ１１、第２の受信ステップ）。次に、情報取得部１１はサムネイル５ａを取得できるようデコーダを設定し（Ｓ１２）、サムネイル５ａの取得を完了するまで待機する（Ｓ１３、取得ステップ）。前述したように、このとき情報取得部１１は、取得したサムネイル５ａを記憶部３０に格納する。また、情報取得部１１は、取得したサムネイル５ａの番組情報５ｂ（EventID）もあわせて取得し、これらを対応付けて記憶部３０に格納してよい。
【０１３０】
制御部１０は、サムネイル５ａの取得が完了した放送局を上記リストから削除し（Ｓ１４）、当該リスト中にサムネイル５ａを未取得の放送局が残っているか否かを判定する（Ｓ１５）。残っている場合（Ｓ１５においてＹＥＳ）、制御部１０はＳ１０〜Ｓ１４の処理を再度実行し、残っていない場合（Ｓ１５においてＮＯ）、制御部１０はテレビ１の状態を「視聴中」にする。
【０１３１】
（「裏番組表」の状態における処理）
図８に基づいて、上記「裏番組表」の状態にあるテレビ１が実行する処理の流れを説明する。図８は、「裏番組表」の状態にあるテレビ１が実行する処理の一例を示すフローチャートである。
【０１３２】
受信部２０は、選択中の放送局を基準にサムネイル取得リストを生成する（Ｓ１６）。具体的には、受信部２０は、放送波を受信可能なすべての放送局のうち、裏番組表８において選択されている放送局（図３においてフォーカス部にある放送局）が放送するテレビジョン番組３ａに対して、近傍の位置に一覧表示されたテレビジョン番組３ｂを搬送する放送波２ｂの放送局をリストアップする。そして、受信部２０は当該リストにあげられた放送局の周波数にチューナ部２１ｂを同調させる（Ｓ１７）。
【０１３３】
チューナ部２１ｂは、放送波２ｂを受信する（Ｓ１８、第２の受信ステップ）。次に、情報取得部１１はサムネイル５ａを取得できるようデコーダを設定し（Ｓ１９）、サムネイル５ａの取得を完了するまで待機する（Ｓ２０、取得ステップ）。前述したように、このとき情報取得部１１は、取得したサムネイル５ａおよびEventIDを記憶部３０に格納する。
【０１３４】
制御部１０は、サムネイル５ａの取得が完了した放送局を上記リストから削除し（Ｓ２１）、裏番組表８の表示が継続しているか否か（テレビ１が依然として「裏番組表」の状態にあるか否か）を判定する（Ｓ２２）。継続していない場合（Ｓ２２においてＮＯ）、制御部１０はテレビ１の状態を「視聴中」にする。
【０１３５】
一方、継続している場合（Ｓ２２においてＹＥＳ）、制御部１０は選択中の放送局が変化したか否かを判定する（Ｓ２３）。変化している場合（Ｓ２３においてＹＥＳ）、制御部１０はＳ１６〜Ｓ２２の処理を再度実行し、変化していない場合（Ｓ２３においてＮＯ）、制御部１０は上記リスト中にサムネイル５ａを未取得の放送局が残っているか否かを判定する（Ｓ２４）。
【０１３６】
残っている場合（Ｓ２４においてＹＥＳ）、制御部１０はＳ１７〜Ｓ２４の処理を再度実行する。一方、残っていない場合（Ｓ２４においてＮＯ）、受信部２０は、放送波を受信可能なすべての放送局のうち、次に放送波を受信すべき放送局（選局先）を取得し（Ｓ２５）、当該放送局の周波数にチューナ部２１ｂを同調させ（Ｓ２６）、そしてＳ１９〜Ｓ２４の処理を再度実行する。
【０１３７】
（年齢制限・非契約を考慮してサムネイルを取得する場合の処理）
図９に基づいて、上記「視聴中」の状態にあるテレビ１が年齢制限・非契約を考慮してサムネイルを取得した場合に、当該テレビが実行する処理の流れを説明する。図９は、上記場合にテレビ１が実行する処理の一例を示すフローチャートである。
【０１３８】
受信部２０は、放送波を受信可能なすべての放送局のうち、次に放送波を受信すべき放送局（選局先）を取得し（Ｓ２７）、当該放送局の周波数にチューナ部２１ｂを同調させる（Ｓ２８）。次に、制御部１０は、番組表の取得が必要か否かを判定する（Ｓ２９、図６のＳ３参照）。
【０１３９】
取得が必要と判定される場合（Ｓ２９においてＹＥＳ）、情報取得部１１は番組情報５ｂ（例えば、ＥＰＧ情報のEIT[sch]）と契約情報（制限情報６ａ）を取得できるようセクションフィルタを設定し（Ｓ３０）、番組情報５ｂおよび契約情報の取得を完了するまで待機する（Ｓ３１）。なお、情報取得部１１は、取得した番組情報５ｂを記憶部３０に格納する。
【０１４０】
一方、取得は必要ないと判定される場合（Ｓ２９においてＮＯ）、情報取得部１１は契約情報（制限情報６ａ）を取得できるようセクションフィルタを設定し（Ｓ３２）、契約情報の取得を完了するまで待機する（Ｓ３３）。
【０１４１】
情報取得部１１は、契約情報（制限情報６ａ）に基づいてテレビジョン番組３ｂの視聴の可否を判定することにより、サムネイル５ａの取得の可否を判定する（Ｓ３４）。視聴が不可能であることにより、サムネイル５ａが取得できないと判定される場合（Ｓ３４においてＮＯ）、情報取得部１１は視聴が不可能であった理由を示す情報を取得し、当該情報をサムネイルデータとして記憶部３０に格納する（Ｓ３５）。
【０１４２】
一方、サムネイル５ａが取得できると判定される場合（Ｓ３４においてＹＥＳ）、情報取得部１１はサムネイル５ａを取得できるようデコーダを設定し（Ｓ３６）、サムネイル５ａの取得を完了するまで待機する（Ｓ３７）。なお、前述したように、情報取得部１１は、取得したサムネイル５ａを記憶部３０に格納する。また、このとき情報取得部１１は、テレビジョン番組３を識別可能な信号（例えば、EventIDなど）を番組情報５ｂの一部としてサムネイル５ａと同時に取得し、同様に記憶部３０に格納する。
【０１４３】
（テレビジョン番組の切り替わりを考慮して裏番組表を表示する場合の処理）
図１０に基づいて、テレビジョン番組の切り替わりを考慮して裏番組表を表示する場合に、テレビ１が実行する処理の流れを説明する。図１０は、上記場合にテレビ１が実行する処理の一例を示すフローチャートである。
【０１４４】
制御部１０は、現在時刻の番組情報５ｂ（現在時刻の番組表データに記録されているEventID）を、記憶部３０から読み出す（Ｓ３８）。また、制御部１０は、サムネイル５ａおよび番組情報５ｂ（EventID）のペア、または上記視聴が不可能であった理由を示す情報（取得不可理由）を、記憶部３０から読み出す（Ｓ３９）。
【０１４５】
制御部１０は、上記取得不可理由があるか否かを判定し（Ｓ４０）、あると判定される場合（Ｓ４０においてＹＥＳ）、情報表示部１２はサムネイル５ａの代わりに、当該理由を示すアイコンを裏番組表８に表示する。一方、ないと判定される場合（Ｓ４０においてＮＯ）、一致判定部１３は、現在番組のEventIDとサムネイル５ａのEventIDとが一致するか否かを判定する（Ｓ４２、判定ステップ）。
【０１４６】
一致すると判定する場合（Ｓ４２においてＹＥＳ）、情報表示部１２は当該サムネイルを裏番組表８に表示する（Ｓ４３）。一方、一致しないと判定する場合（Ｓ４２においてＮＯ）、情報表示部１２はサムネイル５ａの代わりに、サムネイル５ａが存在しないことを示すアイコンを裏番組表８に表示する（Ｓ４４）。
【０１４７】
（パレンタル設定を考慮して裏番組表を表示する場合の処理）
図１１に基づいて、パレンタル設定を考慮して裏番組表を表示する場合に、テレビ１が実行する処理の流れを説明する。図１１の（ａ）〜（ｄ）は、上記場合にテレビ１が実行する処理の一例を示す模式図である。
【０１４８】
図１１の（ａ）に示されるように、情報取得部１１は、テレビジョン番組３ｂを表すサムネイル５ａを取得する前に、それぞれのテレビジョン番組３ｂに関するパレンタル情報（制限情報、ユーザに悪影響を及ぼすおそれのあるコンテンツとして、当該ユーザの保護者が当該コンテンツの利用を制限しているか否かを示す情報をいう）を取得する。そして、情報取得部１１は、テレビジョン番組３ｂにパレンタルが設定されているか否かを判定することによって、サムネイル５ａを取得できるか否かを判定する。取得できないと判定される場合、情報取得部１１は、当該テレビジョン番組３ｂを識別可能な番組情報５ｂを、記憶部３０に格納する。
【０１４９】
図１１の（ｂ）に示されるように、上記番組情報が記憶部３０に格納されている場合、情報取得部１１は、上記テレビジョン番組を表すサムネイル５ａの取得をスキップする。これにより、テレビ１は、パレンタルが設定されていることにより、サムネイル５ａを取得する時間が延びるという問題を解決できる（サムネイル５ａを高速に取得できる）ため、ユーザの利便性を一層改善できる。
【０１５０】
なお、図１１の（ａ）および（ｂ）に示される上記処理は、次のように行ってもよい。すなわち、放送局から放送されるテレビジョン番組３ｂにパレンタルが設定されていることによって、サムネイル５ａの取得に時間がかかる場合、またはサムネイル５ａを取得できない場合、情報取得部１１は、当該取得に時間がかかったテレビジョン番組３ｂを識別可能な番組情報５ｂまたは当該取得できなかったテレビジョン番組３ｂを識別可能な番組情報５ｂを、記憶部３０に格納する。上記番組情報が記憶部３０に格納されている場合、情報取得部１１は、上記テレビジョン番組を表すサムネイル５ａの取得をスキップする。このように処理が行われる場合、サムネイル５ａの取得に先立ってパレンタル情報を取得しておく必要がない。したがって、テレビ１は、パレンタルが設定されていることにより、サムネイル５ａを取得する時間が延びるという問題をより簡単に解決できる（サムネイル５ａをより簡単に高速に取得できる）ため、ユーザの利便性を一層改善できる。
【０１５１】
図１１の（ｃ）に示されるように、パレンタルの設定が解除された場合（このとき、暗証番号を入力するなどの所定の解除操作が伴う）、情報取得部１１は当該設定の解除を検知し、解除されたテレビジョン番組３ｂを表すサムネイル５ａを取得する。これにより、テレビ１は、パレンタルの設定が変更される（上記の場合は解除される）と、当該変更を即時かつ確実に反映することができるため、ユーザの利便性を一層改善できる。
【０１５２】
図１１の（ｄ）に示されるように、ユーザによってパレンタルの設定が変更された場合、情報取得部１１は、記憶部３０に格納されたサムネイル５ａをすべて削除する。そして、情報取得部１１は、現在視聴中のテレビジョン番組３ａを放送する放送局を含む近傍の放送局の放送波から、サムネイル５ａを再度取得する。これにより、テレビ１は、パレンタルの設定が変更されると、当該変更を即時かつ確実に反映することができるため、ユーザの利便性を一層改善できる。
【０１５３】
〔テレビのハードウェア構成〕
図１２に基づいて、いわゆる「テレビジョン受像機」としての機能部分に係るテレビ１のハードウェア構成を説明する。図１２は、テレビ１のハードウェア構成を示すブロック図である。
【０１５４】
図１２に示されるように、テレビ１は、チューナ２０１、ビデオデコーダ２０２、映像処理部２０３、ＬＣＤコントローラ２０４、ＬＣＤ２０５、オーディオデコーダ２０６、音声処理部２０７、アンプ２０８、スピーカ２０９、ＨＤＭＩ（登録商標）レシーバ２１０、ＬＡＮインタフェース２１１、および制御部２２０を備えている。
【０１５５】
チューナ２０１は、地上波デジタル放送、ＢＳ放送、又はＣＳ放送の放送波から符号化映像信号と符号化音声信号とを復調する。ビデオデコーダ２０２は、チューナ２０１にて復調された符号化映像信号を復号する。ビデオデコーダ２０２にて復号された映像信号は、映像処理部２０３を介してＬＣＤコントローラ２０４に供給される。ＬＣＤコントローラ２０４は、映像処理部２０３により処理された映像信号が表す映像を表示するべく、ＬＣＤ２０５を制御する。オーディオデコーダ２０６は、チューナ２０１にて復調された符号化音声信号を復号する。オーディオデコーダ２０６にて復号された音声信号は、音声処理部２０７を介してアンプ２０８に供給される。アンプ２０８は、音声処理部２０７により処理された音声信号が表す音声を出力すべく、スピーカ２０９を駆動する。
【０１５６】
ＨＤＭＩレシーバ２１０は、ソース機器から供給された映像信号および音声信号を受信する。ＨＤＭＩレシーバ２１０により受信された映像信号および音声信号は、それぞれ、映像処理部２０３および音声処理部２０７に供給され、チューナ２０１により復調された映像信号および音声信号と同様、ＬＣＤ２０５およびスピーカ２０９から出力される。
【０１５７】
また、ＬＡＮインタフェース２１１は、ＷＥＢサーバおよびＶＯＤサーバから、それぞれ、ＷＥＢコンテンツおよびＶＯＤコンテンツを取得する。これらのネットワークコンテンツは、いずれも、制御部２２０にてソフトウェア的にデコードされる。制御部２２０にてデコードされたネットワークコンテンツを表す映像信号および音声信号は、それぞれ、映像処理部２０３および音声処理部２０７に供給され、チューナ２０１により復調された映像信号および音声信号と同様、ＬＣＤ２０５およびスピーカ２０９から出力される。
【０１５８】
制御部２２０は、上述した機能に加えて、図１に示すメニュー画面１００を表す映像信号を生成する機能を有している。制御部２２０にて生成されたメニュー画面１００を表す映像信号は、映像処理部２０３に供給され、チューナ２０１により復調された映像信号と同様、ＬＣＤ２０５から出力される。なお、制御部２２０は、メニュー画面１００を表す映像信号を生成するために必要となる各種情報を、ＬＡＮインタフェース２１１を介してメーカーサーバから取得することができる。
【０１５９】
なお、制御部２２０は、ＣＰＵ、ＲＯＭ、ＲＡＭ等を備えて構成されており、ＲＯＭ、ＲＡＭ等に記録されているプログラムをＣＰＵが実行することにより、上述した各機能を実現する。また、制御部２２０は、図４に示した制御部１０と本質的に同じものであり、テレビ１の各種機能を統括的に制御する。
【０１６０】
また、チューナ２０１は、図４に示したチューナ部２１ａおよびチューナ部２１ｂのように、地上波デジタル放送を少なくとも２局以上受信可能なダブルチューナである。
【０１６１】
〔テレビが奏する効果〕
テレビ１は、ユーザビリティへの影響が大きいと推測されるサムネイル５ａを迅速に取得できるため、上記第１の問題を解決できる。また、サムネイル５ａの取得時間が短縮されることにより、当該サムネイルを最新の状態に保ちやすくなるため、テレビ１は上記第２の問題も解決できる。
【０１６２】
したがって、本実施の形態に係るテレビ１は、ユーザの利便性を改善できる。
【０１６３】
〔各実施の形態に含まれる構成（技術的手段）の組み合わせについて〕
上述した実施の形態に含まれる構成は、適宜組み合わせられることに注意する。すなわち、上記の実施の形態で説明した構成の全部または一部を組み合わせて得られる実施の形態も、本発明の技術的範囲に含まれる。
【０１６４】
〔ソフトウェアによる実現例〕
最後に、テレビ１の各ブロックは、集積回路（ＩＣチップ）上に形成された論理回路によってハードウェア的に実現してもよいし、ＣＰＵ（Central Processing Unit）を用いてソフトウェア的に実現してもよい。
【０１６５】
後者の場合、テレビ１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるテレビ１の制御プログラムのプログラムコード（実行形式プログラム、中間コードプログラム、ソースプログラム）をコンピュータで読み取り可能に記録した記録媒体を、テレビ１に供給し、そのコンピュータ（またはＣＰＵやＭＰＵ）が記録媒体に記録されているプログラムコードを読み出し実行することによっても、達成可能である。
【０１６６】
上記記録媒体としては、例えば磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１６７】
また、テレビ１を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Bluetooth（登録商標）、IEEE802.11無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１６８】
このように、本明細書においては、手段とは必ずしも物理的手段を意味せず、各手段の機能がソフトウェアによって実現される場合も含む。また、１つの手段の機能が２つ以上の物理的手段により実現されてもよいし、２つ以上の手段の機能が１つの物理的手段により実現されてもよい。
【０１６９】
〔まとめ〕
本発明の態様１に係る表示装置（テレビジョン受像機１）は、
（１）外部の放送局から放送された放送波（放送波２ａ）を受信する第１の受信手段（チューナ部２１ａ）を備え、前記第１の受信手段によって受信される放送波によって搬送されたコンテンツ（テレビジョン番組３ａ）を一覧可能に表示する表示装置であって、
（２）前記放送波によって搬送されたコンテンツに対して、近傍にない位置に一覧表示されるコンテンツを搬送する放送波よりも、近傍の位置に一覧表示される他のコンテンツ（テレビジョン番組３ｂ）を搬送する他の放送波（放送波２ｂ）を優先的に受信する第２の受信手段（チューナ部２１ｂ）と、
（３）前記第２の受信手段によって受信された他の放送波から、前記他のコンテンツを表す画像（サムネイル５ａ）を取得する取得手段（情報取得部１１）とを備えた。
【０１７０】
また、本発明の態様１に係る表示装置の制御方法は、
（１）外部の放送局から放送された放送波を受信する第１の受信ステップを含み、前記第１の受信ステップにおいて受信される放送波によって搬送されたコンテンツを一覧可能に表示する表示装置の制御方法であって、
（２）前記放送波によって搬送されたコンテンツに対して、近傍にない位置に一覧表示されるコンテンツを搬送する放送波よりも、近傍の位置に一覧表示される他のコンテンツを搬送する他の放送波を優先的に受信する第２の受信ステップ（Ｓ１１、Ｓ１８）と、
（３）前記第２の受信ステップにおいて受信された他の放送波から、前記他のコンテンツを表す画像を取得する取得ステップ（Ｓ１３、Ｓ２０）とを含んだ。
【０１７１】
前述したように、コンテンツを表す画像を放送波から取得するには時間を要する（第１の問題）。したがって、受信可能なすべての放送局から順次画像を取得するという単純な方法によれば、例えばユーザによってコンテンツ表（例えば裏番組表）の表示を指示されてから画像を含むコンテンツ表を表示するまでには長い時間がかかる。
【０１７２】
また、画像の取得時間が長くなることにより、当該画像をコンテンツと同期させることが困難になる（第２の問題）。したがって、例えばユーザがコンテンツ表を表示させた場合であっても、ユーザは現在放送されているコンテンツの内容を適切に一覧できないという不都合が起こり得る。
【０１７３】
上記構成（１）〜（３）によれば、本発明の態様１に係る表示装置および当該装置の制御方法は、ユーザが視聴中のコンテンツに対して、近傍にない位置に一覧表示されるコンテンツを搬送する放送波よりも、近傍の位置に一覧表示される他のコンテンツを搬送する他の放送波を優先的に受信する。そして、上記表示装置等は、当該他の放送波から当該他のコンテンツを表す画像を取得する。
【０１７４】
すなわち、例えばテレビジョン受像機等の表示装置がコンテンツ表（例えば裏番組表）を表示することによってコンテンツを一覧可能に表示する場合、ユーザが視聴中のコンテンツに対して近傍の位置に一覧表示されるコンテンツの画像が、最初に必要となることが多い。当該コンテンツ表は、ユーザが視聴中のコンテンツを最初に選択可能となるように、当該コンテンツを一覧表示することが一般的だからである。
【０１７５】
そこで、上記表示装置等は、上記近傍の位置に一覧表示されるコンテンツを表す画像を、最も必要性が高いものとして優先して取得する。これにより、上記表示装置等は、ユーザビリティへの影響が大きいと推測される画像を迅速に取得できるため、上記第１の問題を解決できる。また、画像の取得時間が短縮されることにより、当該画像を最新の状態に保ちやすくなるため、上記表示装置等は上記第２の問題も解決できる。
【０１７６】
したがって、本発明の態様１に係る表示装置および当該装置の制御方法は、ユーザの利便性を改善できる。
【０１７７】
また、本発明の態様２に係る表示装置は、上記態様１において、
（１）前記第２の受信手段は、ユーザの操作により放送局が選択された場合、当該選択された放送局が放送する放送波によって搬送されたコンテンツに対して、近傍にない位置に一覧表示されたコンテンツを搬送する放送波よりも、近傍の位置に一覧表示された他のコンテンツを搬送する他の放送波を優先的に受信してよい。
【０１７８】
上記構成（１）によれば、上記表示装置は、ユーザの操作により放送局が選択された場合、当該選択された放送局が放送する放送波によって搬送されたコンテンツに対して、近傍にない位置に一覧表示されたコンテンツを搬送する放送波よりも、近傍の位置に一覧表示された他のコンテンツを搬送する他の放送波を優先的に受信する。
【０１７９】
すなわち、ユーザが視聴中のコンテンツを放送する放送局を固定したまま、所定のユーザインタフェースを介して他の放送局を選択する場合が考えられる。上記表示装置は、上記のような場合であっても、当該選択に追随してユーザビリティへの影響が大きいと推測される画像を優先して取得できる。
【０１８０】
したがって、本発明の態様２に係る表示装置は、ユーザの利便性をさらに改善できる。
【０１８１】
また、本発明の態様３に係る表示装置は、上記態様１または態様２において、
（１）前記第１の受信手段によって受信された放送波を放送する放送局またはユーザの操作により選択された放送局を最初に選択可能となるような所定の形式にしたがって、前記取得手段によって取得された画像を表示する表示手段（情報表示部１２）をさらに備えてよい。
【０１８２】
上記構成（１）によれば、上記表示装置は、ユーザが視聴中のコンテンツを搬送する放送波を放送する放送局、またはユーザの操作により選択された放送局を、最初に選択可能となるような所定の形式にしたがって、取得した画像を表示する。
【０１８３】
すなわち、上記表示装置は、例えばユーザが視聴中のテレビジョン番組を放送している放送局にカーソルをあてた状態（最初に選択可能とする状態）で、受信可能な放送局を所定の順序で一列に配置したリスト形式にしたがって、画像を表示する。
【０１８４】
したがって、本発明の態様３に係る表示装置は、迅速に取得した画像を最初に表示することができ、ユーザの利便性をさらに改善できる。
【０１８５】
また、本発明の態様４に係る表示装置は、上記態様３において、
（１）前記取得手段は、前記第１の受信手段によって受信された放送波および前記第２の受信手段によって受信された他の放送波の少なくとも一方から、コンテンツを識別可能なコンテンツ識別情報（番組情報５ｂ）をさらに取得し、
（２）前記表示手段は、前記取得手段によって取得されたコンテンツ識別情報をさらに表示してよい。
【０１８６】
上記構成（１）〜（２）によれば、上記表示装置は、画像だけでなく、コンテンツを識別可能なコンテンツ識別情報も放送波から取得する。そして、上記表示装置は、取得したコンテンツ識別情報をさらに表示する。したがって、本発明の態様４に係る表示装置は、ユーザの利便性をさらに改善できる。
【０１８７】
また、本発明の態様５に係る表示装置は、上記態様３または態様４において、
（１）前記取得手段によって取得された画像が、前記第２の受信手段によって受信された他の放送波で搬送される他のコンテンツの内容と一致するか否かを判定する判定手段（一致判定部１３）をさらに備え、
（２）前記表示手段は、前記判定手段によって一致しないと判定された場合、当該判定された前記画像を表示しなくてよい。
【０１８８】
上記構成（１）〜（２）によれば、上記表示装置は、放送波から取得した画像と当該放送波で搬送されるコンテンツの内容とが一致するか否かを判定し、一致しないと判定される場合、当該画像を表示しない。
【０１８９】
すなわち、上記表示装置が画像を取得した後にコンテンツの放送が終了し、異なる番組の放送が開始された場合、取得した画像が表すコンテンツの内容と新たに放送が開始されたコンテンツの内容とが一致しないおそれが考えられる。
【０１９０】
上記表示装置は、両者の一致・不一致を判定し、一致しないと判定される場合は当該画像を表示しないため、上記のような不具合が発生するおそれを回避できる。したがって、本発明の態様５に係る表示装置は、ユーザの利便性をさらに改善することができる。
【０１９１】
また、本発明の態様６に係る表示装置は、上記態様３から態様５のいずれか１つの態様において、
（１）前記取得手段は、前記他のコンテンツの視聴の可否を示す制限情報をさらに取得し、当該他のコンテンツの視聴は不可能であることを当該制限情報が示す場合、当該他のコンテンツの画像を取得しなくてよい。
【０１９２】
上記構成（１）によれば、上記表示装置は、コンテンツの視聴契約に関する情報、スクランブルの有無を示す情報、視聴年齢制限の情報、または受信障害発生に関する情報など、当該コンテンツの視聴が制限されていることを示す情報を取得できる。
【０１９３】
そして、当該制限情報によってコンテンツへのアクセスが制限されていると判定できる場合、上記表示装置は画像の取得を行わない。これにより、本発明の態様６に係る表示装置は、実行する必要のない無駄な処理を事前に省略することができる。
【０１９４】
また、本発明の態様７に係る表示装置は、上記態様３から態様６のいずれか１つの態様において、
（１）前記取得手段は、前記他のコンテンツの視聴の可否を示す制限情報をさらに取得し、当該他のコンテンツの視聴は不可能であることを当該制限情報が示す場合、当該他のコンテンツの画像に代えて、視聴が不可能であった理由を示す情報を取得し、
（２）前記表示手段は、前記取得手段によって取得された前記理由を示す情報とコンテンツ識別情報とを、所定の形式にしたがって表示してよい。
【０１９５】
上記構成（１）〜（２）によれば、上記表示装置は、上記制限情報によってコンテンツへのアクセスが制限されていると判定できる場合、画像を取得する代わりに、上記アクセスが制限される理由に関する情報を取得する。したがって、本発明の態様７に係る表示装置は、上記アクセスが制限される理由をユーザに提示できる。
【０１９６】
また、本発明の態様８に係る表示装置は、上記態様６または７の態様において、
（１）前記取得手段は、前記制限情報の設定が、前記他のコンテンツの視聴を可能にするように変更されたことが検知された場合、前記第２の受信手段によって受信された他の放送波から、当該他のコンテンツを表す画像を取得してよい。
【０１９７】
上記構成（１）によれば、上記表示装置は、上記制限情報の設定が変更されると、当該変更を即時かつ確実に反映することができるため、ユーザの利便性を一層改善できる。
【０１９８】
また、本発明の態様９に係る表示装置は、上記態様６から態様８のいずれか１つの態様において、
（１）前記取得手段は、前記制限情報の設定が変更されたことが検知された場合、これまでに取得していた前記他のコンテンツを表す画像を削除し、前記第２の受信手段によって受信された他の放送波から、当該他のコンテンツを表す画像を再度取得してよい。
【０１９９】
上記構成（１）によれば、上記表示装置は、上記制限情報の設定が変更されると、当該変更を即時かつ確実に反映することができるため、ユーザの利便性を一層改善できる。
【０２００】
また、本発明の態様１０に係るテレビジョン受像機は、
（１）上記態様１から態様９のいずれか１つの態様に係る表示装置を備えてよい。
【０２０１】
したがって、本発明のテレビジョン受像機は、上記表示装置と同様の効果を奏する。
【０２０２】
なお、前記表示装置はコンピュータによって実現してもよい。この場合には、コンピュータを前記表示装置の各手段として動作させることにより、前記表示装置をコンピュータで実現させる制御プログラム、およびこれを記録したコンピュータ読み取り可能な記録媒体も本発明の範疇に入る。
【産業上の利用可能性】
【０２０３】
本発明は、テレビジョン受像機に適用できる。また、本発明は、例えばパーソナルコンピュータ、タブレット型情報端末、スマートフォンなど、外部の放送局から放送された放送波で搬送されるコンテンツを表示可能な電子機器に広く適用できる。
【符号の説明】
【０２０４】
１    テレビジョン受像機（表示装置、テレビジョン受像機）
２ａ  放送波（放送波）
２ｂ  放送波（他の放送波）
３ａ  テレビジョン番組（コンテンツ）
３ｂ  テレビジョン番組（他のコンテンツ）
５ａ  サムネイル（画像）
５ｂ  番組情報（コンテンツ識別情報）
６ａ  制限情報（制限情報）
１１    情報取得部（取得手段）
１２    情報表示部（表示手段）
１３    一致判定部（判定手段）
２１ａ  チューナ部（第１の受信手段）
２１ｂ  チューナ部（第２の受信手段）
【要約】      （修正有）【課題】ユーザビリティへの影響が大きいと推測される画像を優先して取得でき、ユーザの利便性を改善できる表示装置等を提供する。【解決手段】放送波２ａによって搬送されたテレビジョン番組３ａに対して、近傍にない位置に一覧表示されるテレビジョン番組を搬送する放送波よりも、近傍の位置に一覧表示されるテレビジョン番組３ｂを搬送する放送波２ｂを優先的に受信するチューナ２１ｂと、チューナ２１ｂによって受信された放送波２ｂから、テレビジョン番組３ｂを表すサムネイル５ａを取得する情報取得部１１とを備えた。【選択図】図４【図１】
0005337920.tif 000002
【図２】
0005337920.tif 000003
【図３】
0005337920.tif 000004
【図４】
0005337920.tif 000005
【図５】
0005337920.tif 000006
【図６】
0005337920.tif 000007
【図７】
0005337920.tif 000008
【図８】
0005337920.tif 000009
【図９】
0005337920.tif 000010
【図１０】
0005337920.tif 000011
【図１１】
0005337920.tif 000012
【図１２】
0005337920.tif 000013